(57)【要約】【課題】リールへのワイヤー巻き取りに影響をされることがなく、吸入グリルの収納をスムーズにかつ確実に行うことの出来る昇降装置を備えた空気調和機を提供すること。【解決手段】天井に取り付けられる室内ユニット本体２と、室内ユニット本体２の内部へ塵埃の侵入を防ぐ吸入フィルター１１と、吸入フィルター１１を保持する吸入グリル１０と、吸入グリル１０と室内ユニット本体２とはワイヤー１４で接続され、ワイヤー１４を巻き取ることによって室内ユニット本体２に吸入グリル１０が取り付けられる空気調和機であって、吸入グリル１０にはワイヤー１４を取り付けるワイヤーフック固定部１７と、室内ユニット本体２にはワイヤー１４を内部に貫通させて保持するワイヤー貫通部２１を有するワイヤーガイド１９とを備え、ワイヤーフック固定部１７とワイヤー貫通部２１とが略一直線に配置されるように構成される。【選択図】図１
2011257026.tif 000002
【特許請求の範囲】
【請求項１】
天井に取り付けられる室内ユニット本体と、前記室内ユニット本体の内部へ塵埃の侵入を防ぐ吸入フィルターと、前記吸入フィルターを保持する吸入グリルと、前記吸入グリルと前記室内ユニット本体とはワイヤーで接続され、前記ワイヤーを巻き取ることによって前記室内ユニット本体に前記吸入グリルが取り付けられる空気調和機であって、前記吸入グリルには前記ワイヤーを取り付けるワイヤーフック固定部と、前記室内ユニット本体には前記ワイヤーを内部に貫通させて保持するワイヤー貫通部を有するワイヤーガイドとを備え、前記ワイヤーフック固定部と前記ワイヤー貫通部とが略一直線に配置されるように構成されることを特徴とする空気調和機。
【請求項２】
前記ワイヤーガイドを前記室内ユニット本体のブラケットと一体成型することを特徴とする請求項１に記載の空気調和機。
【請求項３】
前記ワイヤーフック固定部を覆うワイヤーフックカバーを備え、前記ワイヤー貫通部は下方に広がる円錐形状とし、前記ワイヤーフックカバーも下方に広がる円錐形状とし、前記ワイヤー貫通部の円錐形状に、前記ワイヤーフックカバーの円錐形状が収まるように構成したことを特徴とする請求項１または２に記載の空気調和機。
【発明の詳細な説明】
【技術分野】
【０００１】
本発明は、吸入フィルターの清掃を容易にする昇降装置を備えた空気調和機に関するものである。
【背景技術】
【０００２】
従来、この種の空気調和機の吸入フィルターのメンテナンスにおいて、脚立などに上がって高所で作業する危険および手間を無くすための方策がいくつか考案されている（例えば、特許文献１参照）。
【０００３】
図９は、特許文献１に記載された従来の空気調和機の縦断面図を示すものである。また、図１０は従来の空気調和機の昇降装置斜視図である。図９および図１０に示すように、天井１内に埋設された室内ユニット本体２の内部に、熱交換器３、ドレンパン４、送風機５、ファンモーター６等が配置され、この室内ユニット本体２にはその下部開口を覆う化粧パネル７が着脱自在に装着されている。化粧パネル７の中央部には吸入口８が形成され、この吸入口８の両側には吹出口９が形成されている。
【０００４】
吸入口８には吸入グリル１０が嵌合され、その背後には吸入フィルター１１が着脱自在に係止されている。化粧パネル７の内壁に取り付けられたブラケット１２には、正逆回転可能なモーター１３が固定されており、モーター１３の近傍にワイヤー１４を巻き取るためのリール１５が取り付けられている。ワイヤー１４の先端にはワイヤーフック１６が取り付けられており、吸入グリル１０に固定されているワイヤーフック固定部１７にワイヤーフック１６を取り付ける。ワイヤーフック１６およびワイヤーフック固定部１７はリール１５に巻きつけられているワイヤー１４のほぼ真下に配置されている。
【０００５】
以上のように構成された昇降装置を備えた空気調和機について、以下にその動作を説明する。
【０００６】
吸入フィルター１１を洗浄する場合には、モーター１３を逆回転させる。そして、リール１５からワイヤー１４が巻き戻されて吸入グリル１０がほぼ水平状態のまま所定の高さに降下したときモーター１３を停止させる。
【０００７】
この状態で床上の作業者が吸入グリル１０から吸入フィルター１１を取り外してこれを洗浄する。洗浄が終了すれば、吸入フィルター１１を吸入グリル１０に再び取り付け、モーター１３を正回転させることによりリール１５がワイヤー１４を巻き取る。そして、吸入グリル１０が上昇して化粧パネル７の吸入グリル収納部１８に到達したとき、モーター１３を停止させて、吸入グリル１０の収納が完了する。
【先行技術文献】
【特許文献】
【０００８】
【特許文献１】特開平１１−３１１４２３号公報
【発明の概要】
【発明が解決しようとする課題】
【０００９】
しかしながら、前記従来の構成では、モーター１３を正回転させてリール１５がワイヤー１４を巻き取る時、すなわち吸入グリル１０の収納時に、リール１５へのワイヤー１４の巻き取り方によっては、ワイヤー１４が重なって巻き取られてしまい、吸入グリル１０が所定の位置からズレた状態で上昇してくると、吸入グリル１０が化粧パネル７の内部に
ある吸入グリル収納部１８から外れた状態となることがあり、吸入グリル１０の収納直前に化粧パネル７の下面に引っかかって完全に収納されない場合があるという課題を有していた。
【００１０】
本発明は、前記従来の課題を解決するもので、リールへのワイヤー巻き取りに影響をされることがなく、吸入グリルの収納をスムーズにかつ確実に行うことの出来る昇降装置を備えた空気調和機を提供することを目的とする。
【課題を解決するための手段】
【００１１】
前記従来の課題を解決するために、本発明の空気調和機は、天井に取り付けられる室内ユニット本体と、室内ユニット本体の内部へ塵埃の侵入を防ぐ吸入フィルターと、吸入フィルターを保持する吸入グリルと、吸入グリルと室内ユニット本体とはワイヤーで接続され、ワイヤーを巻き取ることによって室内ユニット本体に吸入グリルが取り付けられる空気調和機であって、吸入グリルにはワイヤーを取り付けるワイヤーフック固定部と、室内ユニット本体にはワイヤーを内部に貫通させて保持するワイヤー貫通部を有するワイヤーガイドとを備え、ワイヤーフック固定部とワイヤー貫通部とが略一直線に配置されるように構成されることにより、ワイヤー巻き取りに影響をされることがなく、吸入グリルの収納をスムーズにかつ確実に行うことが可能となる。
【発明の効果】
【００１２】
本発明の空気調和機は、昇降グリルの吸入グリルが引っ掛かったりすることなく、スムーズ、かつ確実に収納することができる。
【図面の簡単な説明】
【００１３】
【図１】本発明の実施の形態１における空気調和機の縦断面図
【図２】同実施の形態１における空気調和機のワイヤーガイド取り付け斜視図
【図３】同実施の形態１における空気調和機のワイヤーガイド断面図
【図４】本発明の実施の形態２における空気調和機のワイヤーガイド取り付け斜視図
【図５】同実施の形態２における空気調和機のワイヤーガイド断面図
【図６】本発明の実施の形態３における空気調和機のワイヤーガイド断面図
【図７】同実施の形態３における空気調和機の吸入グリルのワイヤーフック固定部斜視図
【図８】同実施の形態３における空気調和機の吸入グリル収納時の動作図
【図９】従来の空気調和機の縦断面図
【図１０】従来の空気調和機の昇降装置斜視図
【発明を実施するための形態】
【００１４】
第１の発明の空気調和機は、天井に取り付けられる室内ユニット本体と、室内ユニット本体の内部へ塵埃の侵入を防ぐ吸入フィルターと、吸入フィルターを保持する吸入グリルと、吸入グリルと室内ユニット本体とはワイヤーで接続され、ワイヤーを巻き取ることによって室内ユニット本体に吸入グリルが取り付けられる空気調和機であって、吸入グリルにはワイヤーを取り付けるワイヤーフック固定部と、室内ユニット本体にはワイヤーを内部に貫通させて保持するワイヤー貫通部を有するワイヤーガイドとを備え、ワイヤーフック固定部とワイヤー貫通部とが略一直線に配置されるように構成されることにより、ワイヤー巻き取りに影響をされることがなく、吸入グリルの収納をスムーズにかつ確実に行うことが可能となる。
【００１５】
第２の発明の空気調和機は、特に第１の発明において、ワイヤーガイドを室内ユニット本体のブラケットと一体成型することにより、安価で組立工数が少なく、吸入グリルをスムーズかつ確実に収納することができる。
【００１６】
第３の発明の空気調和機は、特に第１または第２の発明において、ワイヤーフック固定部を覆うワイヤーフックカバーを備え、ワイヤー貫通部は下方に広がる円錐形状とし、ワイヤーフックカバーも下方に広がる円錐形状とし、ワイヤー貫通部の円錐形状に、ワイヤーフックカバーの円錐形状が収まるように構成したことにより、吸入グリルが所定位置に誘導されることにより、吸入グリルをスムーズかつ確実に収納することができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における空気調和機の縦断面図を示すものである。また、図２はワイヤーガイド取り付け斜視図を示すものである。また図３はワイヤーガイド断面図を示すものである。
【００１９】
図１および図２および図３において、天井１内に埋設された室内ユニット本体２の内部に、熱交換器３、ドレンパン４、送風機５、ファンモーター６等が配置され、この室内ユニット本体２にはその下部開口を覆う化粧パネル７が着脱自在に装着されている。化粧パネル７の中央部には吸入口８が形成され、この吸入口８の両側には吹出口９が形成されている。吸入口８には吸入グリル１０が嵌合され、その背後には吸入フィルター１１が着脱自在に係止されている。
【００２０】
また、化粧パネル７内に構成されているブラケット１２には、正逆回転可能なモーター１３が固定されており、吸入グリル１０の昇降装置を構成する。吸入フィルター１１の清掃の際には、吸入グリル１０を下降させ、清掃終了後、再度、吸入フィルター１１を吸入グリル１０に装着させ、吸入グリル１０を吸入グリル収納部１８に収納させる。
【００２１】
以上のように構成された空気調和機について、以下その動作、作用を説明する。
【００２２】
まず、吸入グリル１０を上昇させるためにモーター１３が駆動し、リール１５を回転させて、ワイヤー１４をリール１５に巻き取る動作となる。リール１５にワイヤー１４を巻き取る際、ワイヤー１４が重なった状態でリール１５に巻き取られると、リール１５の中でワイヤー１４の位置が不安定となり、所定の位置からずれてしまう恐れがある。
【００２３】
化粧パネル７内に構成されているブラケット１２に、ワイヤーガイド１９をワイヤーガイド固定ネジ２０を介して固定する。ワイヤー１４をワイヤーガイド１９に形成されたワイヤー貫通部２１を通過させる。ワイヤー１４の先端にはワイヤーフック１６が取り付けられており、吸入グリル１０に取り付けられたワイヤーフック固定部１７にワイヤーフック１６を取り付けることにより吸入グリル１０とワイヤー１４が接続される。
【００２４】
そして、ワイヤーガイド１９に形成されたワイヤー貫通部２１の真下にワイヤーフック固定部１７配置されているので、ワイヤー貫通部２１とワイヤーフック１６が一直線に配置されることとなる。
【００２５】
このように構成することで、ワイヤー１４の巻き取りの際に、リール１５内で不均一な巻き取り方になったとしても、リール１５下部に固定されたワイヤーガイド１９をワイヤー１４が通過することによってワイヤー１４の位置が所定の位置に戻される。
【００２６】
また、ワイヤーガイド１９の上下端は適度なＲ形状が施されているため、ワイヤーガイド１９のエッジでワイヤー１４に傷が付くのを防止している。従って、吸入グリル１０が
吸入グリル収納部１８から外れることが少なくなり、吸入グリル収納部１８の端部に引っ掛かることなく、吸入グリル１０が収納される。
【００２７】
以上のように、本実施の形態においては、化粧パネル内に構成されているブラケット内のモーターの下部にワイヤーガイドを取り付け、ワイヤーガイドにワイヤーを通し、ワイヤー貫通部と前記ワイヤーフックを一直線に配置することにより、リールへのワイヤー巻き取りに影響をされることがなく、吸入グリルをスムーズかつ確実に収納することができる。
【００２８】
（実施の形態２）
図４は、本発明の第２の実施の形態の空気調和機のワイヤーガイド取り付け斜視図を示すものである。また図５はワイヤーガイド断面図である。
【００２９】
図４および図５において、化粧パネル７内に構成されているブラケット１２とワイヤーガイド１９を一体成型させている。一体で成型させることにより、ワイヤーガイド固定ネジが不要となり、取り付け工数が削減できる。
【００３０】
以上のように、本実施の形態においてはワイヤーガイドを化粧パネル内に構成されているブラケットと一体成型することにより、安価で組立工数が少なく、吸入グリルをスムーズかつ確実に収納することができる。
【００３１】
（実施の形態３）
図６は、本発明の第３の実施の形態の空気調和機のワイヤーガイド断面図を示すものである。また図７は吸入グリルのワイヤーフック固定部斜視図を示すものである。また図８は吸入グリル収納時の動作図を示すものである。
【００３２】
図６および図７および図８において、ブラケット１２と一体成型したワイヤーガイド１９の下部が円錐状の凹形状となっている。吸入グリル１０に取り付けられるワイヤーフック１６に円錐状の凸形状をしたワイヤーフックカバー２２が取り付けられている。吸入グリル１０が上昇する際に、吸入グリル１０が大きく揺れた場合でもワイヤーガイド１９の円錐状凹部にワイヤーフックカバー２２の先端が入る。ワイヤーフックカバー２２も円錐状凸形状となっているので、ワイヤー１４をリール１５に巻き取り続けると、ワイヤーガイド１９の傾斜に沿って矢印の方向にワイヤーフックカバー２２が誘導される。従って吸入グリル１０が所定の位置に誘導される。
【００３３】
以上のように、ワイヤーガイドの下方を円錐状の凹形状とし、ワイヤーフックに円錐状の凸形状のワイヤーフックカバーを取り付けることにより、吸入グリルが吸入グリル収納部の所定位置に誘導されることにより、吸入グリルをスムーズかつ確実に収納することができる。
【産業上の利用可能性】
【００３４】
以上のように、本発明にかかる空気調和機は、昇降モーターの下部にワイヤーガイドを取り付け、ワイヤーガイドにワイヤーを通し、ワイヤー貫通部と前記ワイヤーフックを一直線に配置することにより、吸入グリルをスムーズにかつ確実に収納することが可能となるので、天井吊形エアコン以外のタイプにも適用できる。
【符号の説明】
【００３５】
１  天井
２  室内ユニット本体
３  熱交換器
４  ドレンパン
５  送風機
６  ファンモーター
７  化粧パネル
８  吸入口
９  吹出口
１０  吸入グリル
１１  吸入フィルター
１２  ブラケット
１３  モーター
１４  ワイヤー
１５  リール
１６  ワイヤーフック
１７  ワイヤーフック固定部
１８  吸入グリル収納部
１９  ワイヤーガイド
２０  ワイヤーガイド固定ネジ
２１  ワイヤー貫通部
２２  ワイヤーフックカバー
【図１】
2011257026.tif 000003
【図２】
2011257026.tif 000004
【図３】
2011257026.tif 000005
【図４】
2011257026.tif 000006
【図５】
2011257026.tif 000007
【図６】
2011257026.tif 000008
【図７】
2011257026.tif 000009
【図８】
2011257026.tif 000010
【図９】
2011257026.tif 000011
【図１０】
2011257026.tif 000012